(57)【要約】【課題】  圧着葉書，圧着葉書の印刷方法および圧着葉書の印刷装置を提供することを目的とする。【解決手段】  紙片を折り畳んで剥離可能として葉書状に形成した圧着葉書であって，圧着葉書は，圧着剤を塗布する圧着面と，圧着面を圧着して剥離可能に葉書状に形成した状態において外部に露出する露出面と，を備えており，露出面の一部または全部に耐水化剤が塗布されている，圧着葉書である。【選択図】  図１
2018058246.tif 000002
【特許請求の範囲】
【請求項１】
紙片を折り畳んで剥離可能として葉書状に形成した圧着葉書であって，
前記圧着葉書は，
圧着剤を塗布する圧着面と，
前記圧着面を圧着して剥離可能に葉書状に形成した状態において外部に露出する露出面と，を備えており，
前記露出面の一部または全部に耐水化剤が塗布されている，
ことを特徴とする圧着葉書。
【請求項２】
前記圧着葉書は，
前記露出面のうち，前記圧着面を剥離するための境界部の辺縁部領域に前記耐水化剤が塗布されている，
ことを特徴とする請求項１に記載の圧着葉書。
【請求項３】
前記圧着葉書は，
前記露出面の各辺のうち，折線とならない一部または全部の辺の辺縁部領域に前記耐水化剤が塗布されている，
ことを特徴とする請求項１に記載の圧着葉書。
【請求項４】
前記耐水化剤がＯＰニスである，
ことを特徴とする請求項１から請求項３のいずれかに記載の圧着葉書。
【請求項５】
紙片を折り畳んで剥離可能として葉書状に形成した圧着葉書の印刷装置であって，
前記印刷装置は，
圧着葉書の紙片が印刷される用紙を給紙する給紙装置と，
前記用紙にインキで印刷または塗布材料を塗布する印刷ユニットと，を備えており，
前記印刷ユニットは，
前記用紙にインキで圧着葉書の紙片の印刷をするインキ印刷ユニットと，
前記用紙に印刷された圧着葉書の紙片における露出面に相当する領域の一部または全部に耐水化剤を塗布する耐水化剤塗布ユニットと，
前記用紙に印刷された圧着葉書の紙片における圧着面に相当する領域の一部または全部に圧着剤を塗布する圧着剤塗布ユニットと，を備える，
ことを特徴とする圧着葉書の印刷装置。
【請求項６】
紙片を折り畳んで剥離可能として葉書状に形成した圧着葉書の印刷方法であって，
圧着葉書の紙片が印刷される用紙を給紙装置で印刷装置に給紙する第１の工程と，
前記給紙装置から給紙された用紙に，前記印刷装置において，インキで圧着葉書の紙片の印刷をする第２の工程と，
前記印刷装置において，前記用紙に印刷された圧着葉書の紙片における露出面に相当する領域の一部または全部に耐水化剤を塗布する第３の工程と，
前記印刷装置において，前記用紙に印刷された圧着葉書の紙片における圧着面に相当する領域の一部または全部に圧着剤を塗布する第４の工程と，
を備える圧着葉書の印刷方法。
【発明の詳細な説明】
【技術分野】
【０００１】
本発明は，圧着葉書，圧着葉書の印刷方法および圧着葉書印刷装置に関する。
【背景技術】
【０００２】
情報を伝達する手段として，古くから葉書が用いられているが，近年では，折り畳むことによって葉書状に形成可能な圧着葉書の利用頻度も高くなってきている。圧着葉書は，情報が記載された面を折り畳むことができるので，情報量を増やすことができるとともに，伝達すべき情報が露出する面には存在しないので，個人情報保護の観点からも利用されることが多い。そのため，圧着葉書は，ダイレクトメールのほか，個人情報が記載された通知など，さまざまな用途に用いられている。
【０００３】
圧着葉書では圧着面に伝達すべき情報が印字され，露出面のうち一つに送付先の郵便番号，住所，氏名などが印字される。
【０００４】
圧着葉書は，図２１，図２２に示すように，一枚の長方形の紙片が所定の折り線に沿って折り畳まれて形成される。圧着葉書にはＶ折，Ｚ折などの折り方があり，これらが一般的な折り方である。図２１はＶ折における，印刷時における表面（図２１（ａ））と裏面（図２１（ｂ）），折り畳まれたときの各面の位置関係（図２１（ｃ））を示す。また，図２２はＺ折における，印刷時における表面（図２２（ａ））と裏面（図２２（ｂ）），折り畳まれたときの位置関係（図２２（ｃ））を示す。なお，折り方はこれに限定されるものではない。
【０００５】
圧着葉書の圧着面を圧着する方法には主に３種類あり，糊方式，フィルム方式，ニス方式がある。糊方式は圧着面に感圧糊を塗布して，圧力を加えることで圧着面を圧着する方法である（特許文献１，特許文献２）。フィルム方式は，圧着面に圧着用の特殊フィルムをラミネート加工して，圧力を加えることで圧着面を圧着する方法である（特許文献３，特許文献４）。ニス方式は圧着面に圧着ニスを塗布して，紫外線や圧力を加えることで圧着面を圧着する方法である（特許文献５）。
【先行技術文献】
【特許文献】
【０００６】
【特許文献１】特開２００９−２９７８９８号公報
【特許文献２】特開２０１４−４００５７号公報
【特許文献３】特開２０１０−１２７６１号公報
【特許文献４】特開２０１０−３０２６２号公報
【特許文献５】特開２０１２−７１５６０号公報
【発明の概要】
【発明が解決しようとする課題】
【０００７】
糊方式やニス方式による圧着方法を用いた場合，圧着葉書が雨などによって濡れると，圧着面に水分が浸透することで圧着面を剥離しにくくなり，圧着葉書が乾燥するまでは剥離するのが容易ではない。また，圧着葉書が乾燥したとしても綺麗な状態で剥離はできない。そのため，糊方式やニス方式による圧着方法を用いた圧着葉書には，露出面に，濡れた場合に十分に乾燥させてから剥離させることの注意書きを記載している場合もある。しかし，かかる注意書きを見落とす可能性は否定できない。また，乾燥するまでは剥離できないことから，受け取った者がすぐに内容を確認できない問題点もある。
【０００８】
一方，フィルム方式の場合には，圧着葉書が濡れた場合であっても，上記２つの方式よりは綺麗に剥離することができるが，圧着面に特殊フィルムをラミネート加工しなければならないので，製造コストが高くなってしまう。
【０００９】
そのため従来，価格を重視する場合には，糊方式やニス方式による圧着葉書が利用されてきたが，上記問題点を解決するには至っていない。
【課題を解決するための手段】
【００１０】
本発明者は上記課題に鑑み，本発明をした。
【００１１】
第１の発明は，紙片を折り畳んで剥離可能として葉書状に形成した圧着葉書であって，前記圧着葉書は，圧着剤を塗布する圧着面と，前記圧着面を圧着して剥離可能に葉書状に形成した状態において外部に露出する露出面と，を備えており，前記露出面の一部または全部に耐水化剤が塗布されている，圧着葉書である。
【００１２】
本発明のように構成することで，圧着葉書の露出面には耐水化剤が塗布されている。そのため，圧着面に水分が浸透しにくくなり，圧着面を剥離しにくくなる問題点を解決することができる。
【００１３】
上述の発明において，前記圧着葉書は，前記露出面のうち，前記圧着面を剥離するための境界部の辺縁部領域に前記耐水化剤が塗布されている，圧着葉書のように構成することができる。
【００１４】
境界部は，圧着面同士が圧着している領域と，圧着面の剥離のため一つの圧着面の一部が外部に露出している領域との境界であることから，圧着面に水分が浸透しやすい箇所である。そのため，境界部の辺縁部の領域に耐水化剤を塗布することによって，圧着面への水分の浸透を抑止することができる。また，耐水化剤を露出面の全部に塗布する場合よりも，耐水化剤の使用量を抑えることができる。
【００１５】
上述の発明において，前記圧着葉書は，前記露出面の各辺のうち，折線とならない一部または全部の辺の辺縁部領域に前記耐水化剤が塗布されている，圧着葉書のように構成することができる。
【００１６】
圧着葉書の周縁部からも圧着面に水分は浸透しやすい。そのため，露出面の折線ではない辺の辺縁部の領域に耐水化剤を塗布することによって，圧着面への水分の浸透を抑止することができる。また，耐水化剤を露出面の全部に塗布する場合よりも，耐水化剤の使用量を抑えることができる。
【００１７】
上述の発明において，前記耐水化剤がＯＰニスである，圧着葉書のように構成することができる。
【００１８】
耐水化剤としてはさまざまなものを用いることができるが，ＯＰニスは安価であり，印刷にも用いられていることから，ＯＰニスを用いることが好ましい。
【００１９】
第５の発明は，紙片を折り畳んで剥離可能として葉書状に形成した圧着葉書の印刷装置であって，前記印刷装置は，圧着葉書の紙片が印刷される用紙を給紙する給紙装置と，前記用紙にインキで印刷または塗布材料を塗布する印刷ユニットと，を備えており，前記印刷ユニットは，前記用紙にインキで圧着葉書の紙片の印刷をするインキ印刷ユニットと，前記用紙に印刷された圧着葉書の紙片における露出面に相当する領域の一部または全部に耐水化剤を塗布する耐水化剤塗布ユニットと，前記用紙に印刷された圧着葉書の紙片における圧着面に相当する領域の一部または全部に圧着剤を塗布する圧着剤塗布ユニットと，を備える，圧着葉書の印刷装置である。
【００２０】
圧着葉書は本発明の印刷装置を用いることで印刷することができる。このような印刷装置によって，露出面に耐水化剤を塗布し，圧着面に圧着剤を塗布することができるので，圧着面を圧着して圧着葉書を形成した場合に，圧着面への水分の浸透を抑止する圧着葉書ができる。
【００２１】
第６の発明は，紙片を折り畳んで剥離可能として葉書状に形成した圧着葉書の印刷方法であって，圧着葉書の紙片が印刷される用紙を給紙装置で印刷装置に給紙する第１の工程と，前記給紙装置から給紙された用紙に，前記印刷装置において，インキで圧着葉書の紙片の印刷をする第２の工程と，前記印刷装置において，前記用紙に印刷された圧着葉書の紙片における露出面に相当する領域の一部または全部に耐水化剤を塗布する第３の工程と，前記印刷装置において，前記用紙に印刷された圧着葉書の紙片における圧着面に相当する領域の一部または全部に圧着剤を塗布する第４の工程と，を備える圧着葉書の印刷方法である。
【００２２】
圧着剤の上にほかの薬剤がのると圧着効果を低減させてしまう。そのため，露出面への耐水化剤の塗布を，圧着面への圧着剤の塗布の前に行うことで，圧着剤の圧着効果の低減を防止することができる。
【発明の効果】
【００２３】
本発明の圧着葉書によって，圧着葉書が濡れた場合であっても，圧着面に水分が浸透しにくくなり，圧着面が剥離しにくくなる問題を解決することができる。また，その印刷方法，印刷装置によって，本発明の圧着葉書を効率的に印刷することができる。
【図面の簡単な説明】
【００２４】
【図１】本発明におけるＶ折の圧着葉書の展開図および圧着した状態を模式的に示す図である。
【図２】本発明におけるＶ折の圧着葉書の圧着面を剥離した状態を模式的に示す図である。
【図３】本発明におけるＺ折の圧着葉書の展開図および圧着した状態を模式的に示す図である。
【図４】本発明におけるＺ折の圧着葉書の圧着面を剥離した状態を模式的に示す図である。
【図５】境界部の一例を模式的に示す図である。
【図６】ズラシタイプの圧着葉書の境界部の辺縁部にＯＰニスを塗布した状態を示す図である。
【図７】コーナーカットタイプの圧着葉書の境界部の辺縁部にＯＰニスを塗布した状態を示す図である。
【図８】ズラシタイプの圧着葉書の展開時における辺の辺縁部にＯＰニスを塗布した状態を示す図である。
【図９】コーナーカットタイプの圧着葉書の展開時における辺の辺縁部にＯＰニスを塗布した状態を示す図である。
【図１０】本発明の圧着葉書を製造する圧着葉書の印刷装置の一例を模式的に示す図である。
【図１１】印刷ユニットの拡大図を模式的に示す図である。
【図１２】オフセット印刷の版胴周辺を模式的に示す図である。
【図１３】本発明の印刷装置を用いた圧着葉書の印刷処理を示すフローチャートである。
【図１４】Ｖ折の圧着葉書が印刷された用紙の露出面に相当する領域に，ＯＰニスを塗布した状態の一例を模式的に示す図である。
【図１５】Ｚ折の圧着葉書の場合に，第４の印刷ユニットから供給された用紙の表面と裏面の一例を模式的に示す図である。
【図１６】Ｚ折の圧着葉書が印刷された用紙の露出面に相当する領域に，ＯＰニスを塗布した状態の一例を模式的に示す図である。
【図１７】Ｚ折の圧着葉書が印刷された用紙の露出面の一部に相当する領域に，ＯＰニスを塗布した状態の一例を模式的に示す図である。
【図１８】Ｖ折の圧着葉書が印刷された用紙の圧着面に相当する領域に，圧着剤を塗布した状態の一例を模式的に示す図である。
【図１９】Ｚ折の圧着葉書が印刷された用紙の圧着面に相当する領域に，圧着剤を塗布した状態の一例を模式的に示す図である。
【図２０】Ｚ折の圧着葉書が印刷された用紙の圧着面に相当する領域に，圧着剤を塗布した状態の別の一例を模式的に示す図である。
【図２１】従来のＶ折の圧着葉書の一例を模式的に示す図である。
【図２２】従来のＺ折の圧着葉書の一例を模式的に示す図である。
【発明を実施するための形態】
【００２５】
圧着葉書１は，長方形の紙片が折線で折り畳まれ，重なる面同士を圧着し，剥離可能に形成するとともに，圧着時において全体が葉書状に形成されている葉書である。そして折り畳まれて重なる面を圧着面，外部に露出する面を露出面という。圧着面には通常，圧着剤として，後述する感圧糊や圧着ニスなどが塗布されており，紙片を折線で折り畳み，圧着面同士を圧着している。
【００２６】
まず本発明の圧着葉書１の構成を模式的に示す。本発明の以下の説明では，圧着葉書１の一例としてＶ折およびＺ折の場合を説明するが，ほかにもＬ折，観音折，内三つ折り（Ｃ折），Ｗ折などがあり，本発明は圧着葉書１の折り方に限定されず，いかなる折り方の圧着葉書１であっても適用することができる。
【００２７】
図１はＶ折による圧着葉書１ａの一例である。図１（ａ）は圧着葉書１ａの表面の展開図，図１（ｂ）は圧着葉書１ａの裏面の展開図である。図１（ｃ）は圧着葉書１ａにおける圧着面を圧着した状態を示す図である。Ｖ折の圧着葉書１ａの場合，面１１ａ，１２ａが外部に露出する露出面となり，面１３ａ，１４ａに情報を印字するとともに，圧着する圧着面となる。Ｖ折の圧着葉書１ａでは，長方形の紙片の中心または略中心付近に折線（以下，各図では破線で示す）が設けられ，折線で圧着面１３ａ，１４ａ側に折り畳まれることで，Ｖ折の圧着葉書１ａが形成される。
【００２８】
また図２は，Ｖ折の圧着葉書１ａの圧着面１３ａ，１４ａを剥離した状態を模式的に示す図である。図２（ａ）は剥離した圧着葉書１ａを露出面１１ａ側から見た状態を示す図であり，図２（ｂ）は視点１から図２（ａ）の状態の圧着葉書１ａを見た状態を示す図であり，図２（ｃ）は視点２から図２（ａ）の状態の圧着葉書１ａを見た状態を示す図である。
【００２９】
図３はＺ折の圧着葉書１ｂの一例である。図３（ａ）は圧着葉書１ｂの表面の展開図，図３（ｂ）は圧着葉書１ｂの裏面の展開図である。図３（ｃ）は圧着葉書１ｂにおける圧着面１３ｂ，１４ｂ，１５ｂ，１６ｂを圧着した状態を示す図である。Ｚ折の圧着葉書１ｂの場合，面１１ｂ，１２ｂが外部に露出する露出面となり，面１３ｂ，１４ｂ，１５ｂ，１６ｂが情報を印字するとともに，圧着する圧着面となる。Ｚ折の圧着葉書１ｂでは，長方形の紙片の１／３または１／３付近に折線が設けられ，折線で圧着面１３ｂと圧着面１４ｂ，圧着面１５ｂと圧着面１６ｂとが互いに折り畳まれることで，Ｚ折の圧着葉書１ｂが形成される。
【００３０】
また図４は，Ｚ折の圧着葉書１ｂの圧着面１３ｂ，１４ｂ，１５ｂ，１６ｂを剥離した状態を模式的に示す図である。図４（ａ）は剥離した圧着葉書１ｂを露出面１１ｂ側から見た状態を示す図であり，図４（ｂ）は視点１から図４（ａ）の圧着葉書１ｂを見た状態を示す図であり，図４（ｃ）は視点２から図４（ａ）の状態の圧着葉書１ｂを見た状態を示す図である。
【００３１】
本発明の圧着葉書１においては，露出面の一部または全部に，耐水性を有する塗布材料（以下，「耐水化剤」という），たとえばＯＰニスを塗布する。ＯＰニス（Ｏｖｅｒ  Ｐｒｉｎｔニス）とは無色でほぼ透明な樹脂であり，たとえば透明な油性ニスなどが該当する。ＯＰニスの一例として，株式会社Ｔ＆Ｋ  ＴＯＫＡの販売する「ベストキュアー  ＵＶ  ＯＦＳ  Ｋ−ＨＳシリーズ」を用いることができる。
【００３２】
圧着葉書１の圧着面には，各面を接着する圧着剤を塗布する。圧着剤としては公知のさまざまな溶剤を用いることができるが，たとえば感圧糊や圧着ニスなどがある。圧着ニスとは，印刷工程時に，接着面に圧着加工をするために塗布するニスである。圧着ニスとしてはＵＶニス（紫外線を照射して乾燥させながら圧着加工をすることで圧着させるニス）および水性ニス（熱および圧力で圧着させるニス）を用いることもできる。ＵＶニスの一例として，サカタインクス株式会社の販売する「キユアスター  ＸＵＶ−Ｋ３ＡＰ（１８ＫＧ）」を用いることができる。
【００３３】
Ｖ折の圧着葉書１ａの場合，面１１ａ，１２ａが外部に露出する露出面となるので，面１１ａ，１２ａの一部または全部に耐水化剤を塗布し，面１３ａ，１４ａの一部または全部に圧着剤を塗布することとなる。Ｚ折の圧着葉書１ｂの場合，面１１ｂ，１２ｂが外部に露出する露出面となるので，面１１ｂ，１２ｂの一部または全部に耐水化剤を塗布し，面１３ｂ，１４ｂ，１５ｂ，１６ｂに圧着剤を塗布することとなる。
【００３４】
なお，圧着葉書１の折り方によって，露出面，圧着面が変わるので，各種の折り方によって露出面に相当する面に耐水化剤を，圧着面に相当する面に圧着剤を塗布すればよい。
【００３５】
圧着葉書１においては，圧着面を剥離しやすくなるように，圧着面の大きさを若干ずらしたり，一つの隅を欠落させるなどの方法がある。本明細書ではこれを境界部３という。図５に境界部３の一例を模式的に示す。図５（ａ）はズラシタイプの圧着葉書１における境界部３ａであり，図５（ｂ）はコーナーカットタイプの圧着葉書１における境界部３ｂである。
【００３６】
圧着面は感圧糊，圧着ニスなどによって圧着されているが，感圧糊や圧着ニスに水分が付着すると，上述のように圧着面の剥離が困難となるが，境界部３や圧着葉書１の周縁からの水分の浸透の可能性が高い。そのため，耐水化剤は露出面の全体ではなく，境界部３や圧着葉書１の周縁部から一定範囲の領域に塗布をすることでも良い。特に境界部３は剥離しやすくなっているので，境界部３から一定範囲の領域には塗布することが好ましい。
【００３７】
境界部３は，圧着面同士が圧着している領域と，一つの圧着面の一部が外部に露出している領域との境界であることから，圧着面に水分が浸透しやすい箇所である。そのため，露出面のうち，少なくとも境界部３の辺縁部の領域４ａ，４ｂには耐水化剤を塗布してもよい。これを模式的に示すのが図６および図７である。図６は圧着葉書１がズラシタイプの場合であり，図６（ａ）は圧着した状態における耐水化剤を境界部の辺縁部領域４ａに塗布した場合を示した図である。図６（ｂ）は図６（ａ）の展開図である。また，図７は圧着葉書１がコーナーカットタイプの場合であり，図７（ａ）は圧着した状態における耐水化剤を境界部３の辺縁部領域４ｂに塗布した場合を示した図である。図７（ｂ）は図７（ａ）の展開図である。
【００３８】
図６および図７に示すように，境界部３の辺縁部領域４に耐水化剤を塗布することによって，外部からの水分の浸透を抑止することができる。また露出面の全部に耐水化剤を塗布する場合よりも，耐水化剤を塗布する面積を減らすことができるので，耐水化剤の使用量を抑えることができる。
【００３９】
また，境界部３の辺縁部のみならず，圧着葉書１における露出面の各辺のうち，折線とならない辺の一部または全部の辺の辺縁部領域４ｃ，４ｄにＯＰニスを塗布するようにしてもよい。これを模式的に示すのが図８および図９である。図８は圧着葉書１がズラシタイプの場合であり，図８（ａ）は圧着した状態における耐水化剤を辺縁部領域４ｃに塗布した場合を示した図である。図８（ｂ）は図８（ａ）の展開図である。また，図９は圧着葉書１がコーナーカットタイプの場合であり，図９（ａ）は圧着した状態における耐水化剤を辺縁部領域４ｄに塗布した場合を示した図である。図９（ｂ）は図９（ａ）の展開図である。
【００４０】
図８および図９に示すように，圧着葉書１における露出面の各辺のうち，折線とならない辺の一部または全部の辺の辺縁部領域４に耐水化剤を塗布することによって，図６および図７の場合よりも，外部からの水分の浸透を抑止することができる。また露出面の全部に耐水化剤を塗布する場合よりも，耐水化剤を塗布する面積を減らすことができるので，耐水化剤の使用量を抑えることができる。
【００４１】
なお，各辺について，一辺の全てにわたって耐水化剤が塗布されていなくてもよく，一辺のうちの一部に耐水化剤が塗布されているのでもよい。
【００４２】
つぎに，本発明の圧着葉書１を製造する圧着葉書１の印刷装置３０の一例を図１０に模式的に示す。本発明の圧着葉書１の印刷装置３０は，従来，オフセット印刷に用いる印刷装置を利用することで実現することができる。なおオフセット印刷に用いる印刷装置としては，マンローランド  ＧｍｂＨ社の「ｍａｎｒｏｌａｎｄ７００Ｈｉ−Ｐｒｉｎｔ」を用いることができるが，それに限定されるものではない。
【００４３】
本発明の圧着葉書１の印刷装置３０（以下，単に「印刷装置３０」という）では，給紙装置３１と複数の印刷ユニット３２と排紙装置３３とを備えている。給紙装置３１は印刷をする用紙を供給する装置である。印刷ユニット３２は，給紙装置３１から供給された用紙（給紙装置３１から後述のインラインフォイラー装置３４を介して供給された用紙を含む）に対して印刷をし，また露出面に耐水化剤，圧着面に圧着剤を塗布する装置である。印刷ユニット３２は，印刷装置３０において複数存在しており，好ましくは，６以上備えていることが好ましい。すなわち，図１０に示すように，第１から第４の印刷ユニット３２ａ〜３２ｄは色を印刷するユニットである。一般的に，色の印刷は暗い色から明るい色の順で行われるので，第１の印刷ユニット３２ａがブラック，第２の印刷ユニット３２ｂがシアン，第３の印刷ユニット３２ｃがマゼンダ，第４の印刷ユニット３２ｄがイエローであることが好ましいが，それに限定されない。また４色のみならず，５色以上を印刷してもよい。この場合，色数に応じた数の印刷ユニット３２を備えている。
【００４４】
第５の印刷ユニット３２ｅは耐水化剤を塗布する印刷ユニット，第６の印刷ユニット３２ｆは圧着剤を塗布する印刷ユニットとして用いる。排紙装置３３は，印刷ユニットで印刷され，搬送されてきた用紙を積み上げる装置である。なお，インキによって印刷をする第１から第４の印刷ユニット３２ａ〜３２ｄをインキ印刷ユニットとよび，耐水化剤を塗布する第５の印刷ユニット３２ｅを耐水化剤塗布ユニットとよび，圧着剤を塗布する第６の印刷ユニット３２ｆを圧着剤塗布ユニットとよぶこととする。
【００４５】
図１１に印刷ユニット３２の拡大図を示す。また図１２にオフセット印刷の版胴周辺の模式図を示す。印刷ユニット３２には，材料貯留タンクとインキローラと水ローラとを備えたインキングユニット３２１と，刷り版を表面に巻き付けた版胴３２２と，ブランケット胴３２３と，用紙を表面に巻き付ける圧胴３２４と，送り胴３２５とを備えている。
【００４６】
材料貯留タンクは，インキ，耐水化剤，圧着剤などの用紙に印刷または塗布する材料を貯留している。インキローラは材料貯留タンクから供給された印刷または塗布材料を版胴３２２の表面に巻き付けている刷り版に供給する。水ローラは版胴３２２の表面に巻き付けている刷り版に水を供給する。すなわち，インキングユニット３２１は，材料貯留タンクから供給された印刷または塗布材料をインキローラで版胴３２２の刷り版に供給するとともに，水ローラで水を刷り版に供給する。
【００４７】
版胴３２２は回転することによって，版胴３２２に巻き付けられた刷り版が回転して，インキングユニット３２１から供給された印刷または塗布材料をブランケット胴３２３に転写する。ブランケット胴３２３は回転することによって，圧胴３２４の表面に巻き付けている用紙に印刷または塗布材料を転写する。送り胴３２５は回転することによって，印刷または塗布材料が転写された用紙を，つぎの印刷ユニット３２に搬送する。インキローラ，水ローラ，版胴３２２，ブランケット胴３２３，圧胴３２４，送り胴３２５の回転はいずれも連動している。
【００４８】
本発明の印刷ユニット３２においては，第５の印刷ユニット３２ｅの材料貯留タンクに塗布材料としてＯＰニスなどの耐水化剤を，第６の印刷ユニット３２ｆの材料貯留タンクに塗布材料として圧着ニスなどの圧着剤を，それぞれ貯留しておき，それらの印刷ユニット３２ｅ，３２ｆにおいて，インキの場合と同様に塗布を行う。
【００４９】
なお，図１０の印刷装置３０では，上記各装置に加え，インラインフォイラー装置３４を備えている。インラインフォイラー装置３４とは，金箔や銀箔などの箔貼りなどの特殊加工をする装置である。インラインフォイラー装置３４は印刷装置３０のいずれの装置の場所に備えられていてもよいが，図１０では，給紙装置３１と印刷ユニット３２との間に設置されている。そのため，図１０の印刷装置３０では，給紙装置３１から給紙された用紙はインラインフォイラー装置３４を介して印刷ユニット３２に送られる。インラインフォイラー装置３４は，用紙の箔を貼る位置に接着剤を塗布するユニット３４ａと，箔を転写するユニット３４ｂと，印刷ユニット３２のブランケットに用紙が接着したときに箔が取られることを防止するために水分を塗布するユニット３４ｃとを備えているが，ユニット３４ｃは使用しない場合もある。また，インラインフォイラー装置３４は，印刷装置３０に備えていても，箔貼りを行わない場合には，給紙装置３１から給紙された用紙を印刷ユニット３２に送る機能を果たすだけであってもよい。この場合，箔貼りの機能は果たさない。また，インラインフォイラー装置３４を備えず，給紙装置３１から印刷ユニット３２に直接，用紙が給紙されてもよい。
【００５０】
つぎに本発明の印刷装置３０を用いた圧着葉書１の印刷処理を図１３のフローチャートを用いて説明する。
【００５１】
まず給紙装置３１に圧着葉書１を作成するための用紙をセットする。そして印刷装置３０で印刷が開始されると，給紙装置３１からインラインフォイラー装置３４を介して，用紙が第１の印刷ユニット３２ａに給紙され（Ｓ１００），材料貯留タンクに貯留しているブラックのインキが供給され，用紙にブラックが印刷される。そして印刷後の用紙を，第１の印刷ユニット３２ａの送り胴３２５ａが，第２の印刷ユニット３２ｂに搬送する。
【００５２】
第２の印刷ユニット３２ｂでは第１の印刷ユニット３２ａと同様に，第１の印刷ユニット３２ａから搬送された用紙にシアンを印刷し，第２の印刷ユニット３２ｂの送り胴３２５ｂが，第３の印刷ユニット３２ｃに搬送する。このように，第１の印刷ユニット３２ａから第４の印刷ユニット３２ｄまで，順に，ブラック，シアン，マゼンダ，イエローの各色を用紙に印刷する（Ｓ１１０）。
【００５３】
このように，給紙装置３１から給紙された用紙に，インキ印刷ユニット（第１の印刷ユニット３２ａ〜第４の印刷ユニット３２ｄ）が，折り畳まれる前の圧着葉書１の紙片を印刷する。印刷装置３０で印刷する用紙のサイズは大きいので，通常は，一枚の用紙に複数の圧着葉書１の紙片が印刷されている。
【００５４】
第５の印刷ユニット３２ｅの材料貯留タンクには，耐水化剤，たとえばＯＰニスを貯留しており，それが供給されることで，第４の印刷ユニット３２ｄから搬送された用紙に対して，第５の印刷ユニット３２ｅが，耐水化剤を，用紙に印刷されている圧着葉書１の紙片における露出面に相当する領域のうち，耐水化剤を塗布する領域４に塗布する（Ｓ１２０）。
【００５５】
たとえば第４の印刷ユニット３２ｄから搬送された用紙が図１４（ａ）に示すように，Ｖ折の圧着葉書１ａの紙片が複数印刷された用紙であったとする。露出面１１ａ，１２ａの全部に耐水化剤を塗布する場合，図１４（ｂ）に示すように，第５の印刷ユニット３２ｅは，圧着葉書１ａの露出面１１ａ，１２ａが印刷されている領域に耐水化剤を塗布する。また，圧着葉書１ａの露出面１１ａ，１２ａの一部，たとえば境界部３の辺縁部領域４ａ（図６）に耐水化剤を塗布する場合には，図１４（ｃ）のように，圧着葉書１ａの露出面１１ａが印刷されている領域のうち，境界部３の辺縁部領域４ａに耐水化剤を塗布する。耐水化剤を塗布する領域４は，版胴３２２に巻き付ける刷り版によって適宜調整できる。
【００５６】
なお，Ｖ折の圧着葉書１ａの場合，露出面１１ａ，１２ａはすべて用紙の表面で，用紙の裏面は圧着面１３ａ，１４ａのみである。そのため，第５の印刷ユニット３２ｅは，露出面１１ａ，１２ａを含む用紙の表面のみに耐水化剤を塗布し，用紙の裏面には何ら塗布をしない。
【００５７】
また，第４の印刷ユニット３２ｄから搬送された用紙が図１５に示すように，Ｚ折の圧着葉書１ｂの紙片が複数印刷された用紙であったとする。図１５（ａ）は搬送された用紙の表面であり，図１５（ｂ）は搬送された用紙の裏面である。露出面１１ｂ，１２ｂの全部に耐水化剤を塗布する場合，図１６（ａ），図１６（ｂ）に示すように，第５の印刷ユニット３２ｅは，圧着葉書１ｂの露出面１１ｂ，１２ｂが印刷されている領域に耐水化剤を塗布する。図１６（ａ）は搬送された用紙の表面に印刷された露出面１１ｂに耐水化剤を塗布する領域を示したものであり，図１６（ｂ）は搬送された用紙の裏面に印刷された露出面１２ｂに耐水化剤を塗布する領域を示したものである。また，圧着葉書１ｂの露出面１１ｂ，１２ｂの一部，たとえば境界部３の辺縁部領域４ａ（図６）に耐水化剤を塗布する場合には，図１７（ａ），図１７（ｂ）のように，圧着葉書１ｂの露出面１１ｂが印刷されている領域のうち，境界部３の辺縁部領域４ａ耐水化剤を塗布する。図１７（ａ）は搬送された用紙の表面に印刷された露出面１１ｂの境界部３の辺縁部領域４ａに耐水化剤を塗布する場合であり，図１７（ｂ）は搬送された用紙の裏面を示すものである。なお，図１７では，境界部が露出面１１ｂに存在するので，露出面１１ｂの辺縁部領域４ａに耐水化剤を塗布し，裏面の露出面１２ｂには耐水化剤を塗布しない場合を示している。Ｖ折の圧着葉書１ａと異なり，Ｚ折の圧着葉書１ｂの場合，露出面１１ｂ，１２ｂは，用紙の表面と裏面の双方に存在する。そのため表面と裏面の双方の露出面１１ｂ，１２ｂに，第５の印刷ユニット３２ｅは耐水化剤を塗布することとなる。
【００５８】
以上のようにして第５の印刷ユニット３２ｅで耐水化剤を塗布した用紙が，送り胴３２５ｅによって，第６の印刷ユニット３２ｆに搬送される。第６の印刷ユニット３２ｆの材料貯留タンクには，圧着剤，たとえば圧着ニスを貯留しており，それが供給されることで，第５の印刷ユニット３２ｅから搬送された用紙に対して，第６の印刷ユニット３２ｆが圧着剤を，用紙に印刷されている圧着葉書１の紙片における圧着面に相当する領域のうち，圧着剤を塗布する領域５に塗布する（Ｓ１３０）。
【００５９】
Ｖ折の圧着葉書１ａの場合，図１４（ｂ），（ｃ）に示すように，露出面１１ａ，１２ａと圧着面１３ａ，１４ａとは，用紙の表面と裏面で分かれている。そのため，第５の印刷ユニット３２ｅから搬送された用紙が図１４（ｂ），（ｃ）の場合には，表面には圧着剤を塗布しない。一方，第５の印刷ユニット３２ｅから搬送された用紙が図１８（ａ）のように裏面であったとすると，第６の印刷ユニット３２ｆは，図１８（ｂ）に示すように，圧着葉書１ａの圧着面１３ａ，１４ａが印刷されている領域の一部または全部に圧着剤を塗布する。
【００６０】
またＺ折の圧着葉書１ｂの場合，図１６または図１７のように耐水化剤が露出面１１ｂ，１２ｂの一部または全部に塗布された用紙が，第５の印刷ユニット３２ｅから第６の印刷ユニット３２ｆに搬送されてくる。そこで，圧着面１３ｂ，１４ｂ，１５ｂ，１６ｂの一部または全部に対して圧着剤を塗布する。図１９に，図１６の用紙が搬送されてきた場合に，第６の印刷ユニット３２ｆで圧着面１３ｂ，１４ｂ，１５ｂ，１６ｂに圧着剤を塗布する場合を示す。図１９（ａ）は用紙の表面に印刷された圧着面１３ｂ，１４ｂの領域に対して圧着剤を塗布する領域５を示したものであり，図１９（ｂ）は用紙の裏面に印刷された圧着面１５ｂ，１６ｂに対して圧着剤を塗布する領域５を示したものである。また，図２０に，図１７の用紙が搬送されてきた場合に，第６の印刷ユニット３２ｆで圧着面１３ｂ，１４ｂ，１５ｂ，１６ｂに圧着剤を塗布する場合を示す。図２０（ａ）は用紙の表面に印刷された圧着面１３ｂ，１４ｂに対して圧着剤を塗布する領域５を示したものであり，図２０（ｂ）は用紙の裏面に印刷された圧着面１５ｂ，１６ｂに対して圧着剤を塗布する領域５を示したものである。
【００６１】
このように，圧着剤を塗布する領域５は，第６の印刷ユニット３２ｆの版胴３２２に巻き付ける刷り版によって塗布領域５を調整でき，圧着面の一部または全部に圧着剤を塗布することができる。
【００６２】
以上のようにして第６の印刷ユニット３２ｆで圧着剤の塗布を行うと，第６の印刷ユニット３２ｆの送り胴３２５ｆが排紙装置３３に排紙をし，排紙装置３３で，印刷された用紙を貯留する。
【００６３】
なお，表面と裏面の双方が同時に印刷できる印刷装置３０の場合には，一度で両面に耐水化剤を塗布可能であるが，片面ずつ印刷をする印刷装置３０の場合には，Ｓ１００乃至Ｓ１３０の処理によって表面または裏面を印刷した後，排紙装置３３で貯留された用紙の表面と裏面とを反対にし，反対側の面についてＳ１００乃至Ｓ１３０の処理を行うことで，両面の印刷が可能である。
【００６４】
以上のような印刷装置３０を用いることで，本発明の圧着葉書１を印刷することが可能となる。また，排紙装置３３で排紙された，圧着葉書１の紙片が複数印刷された用紙は，適宜，裁断されることで，圧着葉書１の形状に形成する。また裁断した圧着葉書１の紙片を折り畳み，その圧着面を，適宜，圧着機で圧着することで，葉書状に形成することができる。
【産業上の利用可能性】
【００６５】
本発明の圧着葉書によって，圧着葉書が濡れた場合であっても，圧着面に水分が浸透しにくくなり，圧着面が剥離しにくくなる問題を解決することができる。また，その印刷方法，印刷装置によって，本発明の圧着葉書を効率的に印刷することができる。
【符号の説明】
【００６６】
１：圧着葉書
１ａ：Ｖ折の圧着葉書
１ｂ：Ｚ折の圧着葉書
３：境界部
３ａ：ズラシタイプの圧着葉書の境界部
３ｂ：コーナーカットタイプの圧着葉書の境界部
４：耐水化剤の塗布領域
４ａ：ズラシタイプの圧着葉書の境界部の辺縁部に，耐水化剤を塗布する領域
４ｂ：コーナーカットタイプの圧着葉書の境界部の辺縁部に，耐水化剤を塗布する領域
４ｃ：ズラシタイプの圧着葉書の周縁部の各辺の辺縁部に，耐水化剤を塗布する領域
４ｄ：コーナーカットタイプの圧着葉書の周縁部の各辺の辺縁部に，耐水化剤を塗布する領域
５：圧着剤の塗布領域
１１ａ：Ｖ折の圧着葉書の第１の露出面
１１ｂ：Ｚ折の圧着葉書の第１の露出面
１２ａ：Ｖ折の圧着葉書の第２の露出面
１２ｂ：Ｚ折の圧着葉書の第２の露出面
１３ａ：Ｖ折の圧着葉書の第１の圧着面
１３ｂ：Ｚ折の圧着葉書の第１の圧着面
１４ａ：Ｖ折の圧着葉書の第２の圧着面
１４ｂ：Ｚ折の圧着葉書の第２の圧着面
１５ｂ：Ｚ折の圧着葉書の第３の圧着面
１６ｂ：Ｚ折の圧着葉書の第４の圧着面
３０：圧着葉書の印刷装置
３１：給紙装置
３２：印刷ユニット
３２ａ：第１の印刷ユニット
３２ｂ：第２の印刷ユニット
３２ｃ：第３の印刷ユニット
３２ｄ：第４の印刷ユニット
３２ｅ：第５の印刷ユニット
３２ｆ：第６の印刷ユニット
３２１：インキングユニット
３２２：版胴
３２３：ブランケット胴
３２４：圧胴
３２５：送り胴
３３：排紙装置
３４：インラインフォイラー装置
【図１】
2018058246.tif 000003
【図２】
2018058246.tif 000004
【図３】
2018058246.tif 000005
【図４】
2018058246.tif 000006
【図５】
2018058246.tif 000007
【図６】
2018058246.tif 000008
【図７】
2018058246.tif 000009
【図８】
2018058246.tif 000010
【図９】
2018058246.tif 000011
【図１０】
2018058246.tif 000012
【図１１】
2018058246.tif 000013
【図１２】
2018058246.tif 000014
【図１３】
2018058246.tif 000015
【図１４】
2018058246.tif 000016
【図１５】
2018058246.tif 000017
【図１６】
2018058246.tif 000018
【図１７】
2018058246.tif 000019
【図１８】
2018058246.tif 000020
【図１９】
2018058246.tif 000021
【図２０】
2018058246.tif 000022
【図２１】
2018058246.tif 000023
【図２２】
2018058246.tif 000024